(57)【特許請求の範囲】
【請求項１】
吸着性を有する微細粒子状の粘土鉱物であって粒子同士が密着・凝集して固まり易い粘土を構成する粒径が５μｍ以下の粘土の粒子が、幅４〜１００ｎｍで長さが５０００ｎｍ以上のナノセルロースであるセルロースナノファイバーに均一に分散されて担持されるように、該セルロースナノファイバーと前記粘土とが混合されていることで設けられ、
その混合された物が、前記セルロースナノファイバーの固まりとして生じる機能であって、水を吸収・膨潤して固まりの形態を維持できる機能による自己修復機能を有するように、前記セルロースナノファイバーと前記粘土とが混合されていることで設けられていると共に、ブロック状又はプレート状の厚さを有する固まりとなるように配置されていることで設けられていることを特徴とする吸着体。
【請求項２】
前記粘土鉱物が、アロフェン及び／又はイモゴライトであることを特徴とする請求項１記載の吸着体。
【請求項３】
請求項１又は２記載の吸着体を用いた吸着層が、廃棄物が埋め立てられる場所に敷設されていることを特徴とする吸着体を用いた最終処分場。
【請求項４】
請求項１又は２記載の吸着体を用いた吸着層が、敷設されていることを特徴とする吸着体を用いた舗装道路。
【請求項５】
請求項１又は２記載の吸着体が、透水性の粉体収納袋に封入されていることで構成されていることを特徴とする汚染水処理体。
【請求項６】
請求項１又は２記載の吸着体が、水を媒体として混練することで混合され、ブロック状又はプレート状の厚さを有する固まりとして設けられていることを特徴とする汚染水処理体。
【発明の詳細な説明】
【技術分野】
【０００１】
この発明は、微細粒子状の粘土鉱物を用いた吸着体及び汚染水処理体と、その吸着体を用いた埋立処分場・舗装道路に関する。
【背景技術】
【０００２】
汚染物質の処理については、廃棄物、該廃棄物の焼却灰や溶融スラグから溶出する重金属や有機汚染物質の有害物質が、透水性粘土鉱物に接触することで、該透水性粘土鉱物に吸着されるべく、前記有害物質に対して前記透水性粘土鉱物を近接及び／又は接触させて配し、吸着固定させるように、埋め立て処分場の収容空間をつくる内底面部や内側面部に、前記透水性粘土鉱物の吸着層を設け、前記有害物質を吸着固定させることで、前記有害物質の溶出による拡散を防止する有害物質の無害化方法が用いられる廃棄物の処分場であって、基層の上に低透水性の粘土層が積層され、該低透水性の粘土層の上に積層された前記透水性粘土鉱物の吸着層の上に遮水シートが積層され、該遮水シートの上に再び前記透水性粘土鉱物の吸着層が積層されて、前記収容空間が設けられ、前記透水性粘土鉱物が、少なくともアロフェン及び／又はイモゴライトを含むものである（特許文献１参照）廃棄物の処分場が、先に本出願人によって提案されている。【０００３】
また、粘土鉱物アロフェンを用いた水溶液からのセシウムイオンの除去については、その有効性に係る論文（非特許文献１参照）が本出願人などによって提出されている。なお、この論文では、アロフェンがセシウムイオンを吸着する吸着剤として有効であることを検証しているが、より効率的な吸着性能を備えるように構成された吸着体、及びそれを用いた埋立処分場、舗装道路、汚染水処理体については言及されていない。【０００４】
さらに、本出願人によって、金属イオンが溶け込んでいる汚染水を浄化するクレイ特性を用いた汚染水の処理方法であって、アロフェンを主成分とする透水性粘土鉱物の粉体が吸着剤として封入された透水性のある粉体収納袋を、水槽に貯留された汚染水に浸漬して所要の時間を経過させることで金属イオンを透水性粘土鉱物の粉体に吸着させた後、その粉体収納袋を引き上げる（特許文献２参照）ことを特徴とする方法が提案されている。
【先行技術文献】
【特許文献】
【０００５】
【特許文献１】特許第４８９７９８０号公報（第１頁）
【特許文献２】特開２０１６−１５０３１９号公報（第１頁）
【非特許文献】
【０００６】
【非特許文献１】一般社団法人日本環境化学会による発行の「環境化学」第２４巻第３号の７７〜８２頁に記載の論文「粘土鉱物アロフェンを用いた水溶液からのセシウムイオンの除去」
【発明の概要】
【発明が解決しようとする課題】
【０００７】
吸着体及び汚染水処理体、吸着体を用いた埋立処分場・舗装道路に関して解決しようとする問題点は、微細粒子状の粘土鉱物を用い、より効率的な吸着性能を発揮できる簡便で効果的な構成が提案されていないことにある。そこで、本発明の目的は、その課題を解決することを目的とする。
【課題を解決するための手段】
【０００８】
本発明は、上記目的を達成するために次の構成を備える。
本発明に係る吸着体の一形態によれば、吸着性を有する微細粒子状の粘土鉱物であって粒子同士が密着・凝集して固まり易い粘土を構成する粒径が５μｍ以下の粘土の粒子が、幅４〜１００ｎｍで長さが５０００ｎｍ以上のナノセルロースであるセルロースナノファイバーに均一に分散されて担持されるように、該セルロースナノファイバーと前記粘土とが混合されていることで設けられ、その混合された物が、前記セルロースナノファイバーの固まりとして生じる機能であって、水を吸収・膨潤して固まりの形態を維持できる機能による自己修復機能を有するように、前記セルロースナノファイバーと前記粘土とが混合されていることで設けられていると共に、ブロック状又はプレート状の厚さを有する固まりとなるように配置されていることで設けられていることを特徴とする。
【０００９】
また、本発明に係る吸着体の一形態によれば、前記粘土鉱物が、アロフェン及び／又はイモゴライトであることを特徴とすることができる。【００１０】
また、本発明に係る吸着体を用いた埋立処分場の一形態によれば、前記の吸着体を用いた吸着層が、廃棄物が埋め立てられる場所に敷設されていることを特徴とすることができる。【００１１】
また、本発明に係る吸着体を用いた舗装道路の一形態によれば、前記の吸着体を用いた吸着層が、敷設されていることを特徴とすることができる。【００１２】
また、本発明に係る汚染水処理体の一形態によれば、前記の吸着体が、透水性の粉体収納袋に封入されていることで構成されていることを特徴とすることができる。【００１３】
また、本発明に係る汚染水処理体の一形態によれば、前記の吸着体が、水を媒体として混練することで混合され、ブロック状又はプレート状の厚さを有する固まりとして設けられていることを特徴とすることができる。
【００１４】
また、本発明に係る汚染水処理体の一形態によれば、前記の吸着体が織り交ぜられているシート状部材によって構成されている透水性の粉体収納袋であることを特徴とすることができる。【００１５】
また、本発明に係る汚染水処理体の一形態によれば、前記の吸着体が塗布されているシート状部材によって構成されている透水性の粉体収納袋であることを特徴とすることができる。
【発明の効果】
【００１６】
本発明に係る吸着体及び汚染水処理体、吸着体を用いた埋立処分場・舗装道路によれば、微粒子状の粘土鉱物を用いる有害物の吸着処理について、より効率的な吸着性能を発揮できる簡便で効果的な構成を提供できるという特別有利な効果を奏する。
【図面の簡単な説明】
【００１７】
【図１】本発明に係る廃棄物の処分方法の形態例を示すシステムの説明図である。
【図２】本発明に係る廃棄物の埋立処分場（最終処分場）の形態例を示す側面図である。
【図３】本発明に係る廃棄物を再利用する舗装道路の形態例を示す断面図である。
【図４】本発明に係る汚染水処理体の粉体収納袋の形態例を示す斜視図である。
【図５】図４の粉体収納袋に本発明の吸着体を充填し、水槽に汚染水を貯留した状態の形態例を示す斜視図である。
【図６】図５の粉体収納袋を、水槽に入れて汚染水に浸漬した状態を示す斜視図である。
【図７】図６の粉体収納袋を、水槽から引き上げた状態を示す斜視図である。
【図８】本発明に係る汚染物の保管方法の形態例を示す斜視図である。
【発明を実施するための形態】
【００１８】
以下、本発明に係る吸着体及び汚染水処理体、吸着体を用いた埋立処分場・舗装道路の形態例を図面（１〜８）に基づき説明する。
本発明に係る吸着体は、吸着性を有する微細粒子状の粘土鉱物が、ナノセルロースに担持されるように、該ナノセルロースと混合されていることを特徴とする。この吸着体は、粘土鉱物の作用によって、重金属イオンなどの有害物質を吸着することで除去できる。
【００１９】
この本発明に係る吸着体によれば、微細粒子状の粘土鉱物を、ナノセルロースに担持させた状態にすることで、均一に分散させることができる。このため、微細粒子状の粘土鉱物同士が密着・凝集して粘土状に固まってしまうことを防止し、表面積を拡大・維持して吸着性能を向上できる。また、ナノセルロースは、吸水性に富む性質を有しているため、前記の吸着体としての透水性も、向上させることができる。これによっても、吸着性能を向上できる。さらに、前記の吸着体は、ナノセルロースが混合されていることで、層状に配置して吸着層とした際に、自己修復機能を生じ、その吸着性能を維持することができる。すなわち、地震等の外力によって、本発明に係る吸着層が一時的に破壊されても、該吸着層が経時的に自己修復する性質を有しているため、吸着性能を取り戻すことができる。
【００２０】
ナノセルロースとは、一般的に、セルロースナノファイバーやセルロースナノクリスタルの総称であり、植物繊維をナノサイズに微細化することで得られるものである。セルロースナノファイバーは、一般的に、幅４〜１００ｎｍで長さ５０００ｎｍ以上のナノ繊維であり、機械的解繊技術によって、比較的安価に製造することができる。なお、ナノセルロースの原料としては、竹林や雑木林などの従来は利用が難しかった資源（植物繊維）も、有効に活用できる。
微細粒子状の粘土鉱物とナノセルロースとの混合は、乾式でもよいが、水を媒体として混練する湿式工程によれば、より効率的に均一に行うことができる。セルロースナノファイバーを代表とするナノセルロースと、微細粒子状の粘土鉱物とは、そのサイズに関して親和性がある。このため、微細粒子状の粘土鉱物は、ナノセルロースによって効果的に混合・担持され易い特性があることを見いだした。
【００２１】
また、本発明に係る吸着体の一形態によれば、前記粘土鉱物が、アロフェン及び／又はイモゴライトであることを特徴とすることができる。アロフェンやイモゴライトは、透水性の粘土鉱物であり、水を媒介とする環境で、金属イオンなどの有害物質を効果的に吸着固定できる。
【００２２】
粘土鉱物としては、アロフェンやイモゴライトの他に、モンモリロナイト、カオリナイト、ゼオライトなどがある。アロフェンやイモゴライト等は、天然に豊富に存在する透水性粘土鉱物であり、低コストで利用できる。なお、粘土とは、一般的に、粒径が５μｍ以下の粒子とされており、粒子同士が密着・凝集して固まり易く、透水性を失い易い。
【００２３】
前記の吸着体は、廃棄物、その焼却灰や溶融スラグ等から溶出する重金属、有機汚染物質、などの有害物質に対して、近接及び／又は接触されて配されることにより、前記の有害物質を吸着固定し、その拡散を防止することができる。
なお、重金属の溶出は、例えば雨水などの水を媒体にしてなされる。また、溶出された重金属などについての粘土鉱物を含有する吸着体による吸着作用も、例えば雨水などの水を媒体にしてなされる。
【００２４】
廃棄物や、その廃棄物を焼却炉（図１参照）によって燃焼させた後の焼却灰に、前記の吸着体を混合及び／又は混練することで、その吸着体に含有されている粘土鉱物に有害物質（有機汚染物質、重金属等）を効果的に吸着固定させることができる。
粘土鉱物の化学的吸着作用を利用するため、吸着効率が高く、無害化の効果が高い。このように無害化される廃棄物としては、例えば、下水道汚泥がある。
【００２５】
また、廃棄物やその焼却灰に、前記の吸着体を混合及び／又は混練することで、有害物質が吸着固定された前記の吸着体を溶融炉（図１参照）で溶融してもよい。
このように廃棄物及びその焼却灰を溶融する際に前記の吸着体を混合することで、生成した固化物からの重金属の溶出を、酸性条件においても適切に防ぐことができる。
【００２６】
有害物質が吸着された前記の吸着体の溶融化によって、重金属等の有害物質の無害化、不溶化、拡散防止などを効果的に実現できる。また、その溶融固化物は、無害化した土木資材等として適切に再利用できる。
【００２７】
また、本発明に係る吸着体を用いた埋立処分場の一例である最終処分場によれば、前記の吸着体を用いた吸着層２０が、図２に示すように、廃棄物が埋め立てられる場所に敷設されていることを特徴とする。すなわち、図２に示すように、埋立処分場（最終処分場）の収容空間をつくる内底面部や内側面部（法面部）に、前記の吸着体の吸着層２０（内底面部の吸着層２０Ａ、法面部の吸着層２０Ｂ）を設け、前述したような有害物質を吸着固定させることで、その有害物質の溶出による拡散を防止できる。
【００２８】
図２の形態例では、基層５０の上に、低透水性の粘土層４０、吸着層２０（２０Ａ及び２０Ｂ）、遮水シート４５、再び吸着層２０の順に積層され、その上に廃棄物１０が置かれて覆土（覆土層３０）されている。そして、その上にさらに吸着層２０、廃棄物１０、覆土層３０が形成され、埋め戻されている。
【００２９】
この最終処分場では、吸着層２０が廃棄物１０に対して浸透する水の下流側に設けられている。このため、たとえ重金属等の有害物質が溶出したとしても、吸着層２０によって好適に吸着・捕捉され、さらに深部の土壌や地下水を汚染することを防止できる。つまり、有害な汚染物質の拡散を適切に防止することができる。そして、前記の吸着体（吸着層２０）は、水の透過を許容するため、滞留水による問題を生じさせない。さらに、この吸着層２０は、その自己修復機能によって修復できるため、有害物質の拡散を防止できる。
【００３０】
さらに、覆土層３０の少なくとも一部として前記の吸着体を用いてもよい。例えば、前記の吸着体を、覆土に混合することや、覆土として撒けばよい。これによれば、有害物質の吸着容量を高めることができ、その拡散を好適に防止できる。
【００３１】
また、本発明に係る吸着体を用いた舗装道路の一形態によれば、前記の吸着体を用いた吸着層が、敷設されていることを特徴とすることができる。
これによれば、図３に示すように、焼却灰、或いは廃棄物やその焼却灰が溶融されて形成された溶融スラグ等が、内層の積層材の一部として敷かれて舗装される舗装道路にも本発明を適用できる。例えば、前記の吸着体を、砂、砂利や砕石に代用される代替品としての溶融スラグ等に混合し、舗装資材として利用できる。これによれば、溶融スラグ等から溶出する重金属等の有害物質が、前記の吸着体に接触することで、その前記の吸着体に吸着され、有害物質の拡散を防止できる。
【００３２】
また、図３に示すように、溶融スラグ等が敷かれた層６０よりも下層に、前記の吸着体によって設けられた吸着層２０が敷設されてもよい。この形態例では、先ず、基層５０の上に吸着層２０が敷かれて、その上層に溶融スラグ等が敷かれた層６０が設けられている。この溶融スラグ等が敷かれた層６０とは、一般的には、砂、砂利や砕石などの土木資材によって舗装の基部となる層であって、溶融スラグが、砂、砂利や砕石に代替する土木資材の少なくとも一部として用いられた層になっている。これによれば、廃棄物（溶融スラグ）を土木資材として好適に再利用することができる。
【００３３】
そして、この舗装道路の構成は、その溶融スラグ等が敷かれた層６０の上に再び吸着層２０が設けられ、表層がアスファルト７０で覆われている。
これによれば、下側の吸着層２０によって、溶融スラグから溶出する重金属等の有害物質を吸着固定することができ、上側の吸着層２０によって、アスファルト７０から溶出する有機汚染物質を吸着固定することができる。従って、有害物質の拡散を好適に防止することができる。そして、前記の吸着体は、水の透過を許容するため、滞留水による問題を生じさせない。また、この吸着層２０には、前述したように自己修復機能があり、有害物質による汚染を継続的に防止できる。
【００３４】
また、他の形態例としては、前記の吸着体を、その有害物質の吸着・固定作用を活かし、土壌汚染の土地に対する改良材としても利用できる。
【００３５】
また、本発明に係る汚染水処理体によれば、図４〜７に示すように、前記の吸着体１５０が、透水性の粉体収納袋１００に封入されていることで構成されていることを特徴とする。この汚染水処理体は、後述するように、汚染水に浸漬することで、その汚染水中に存在している汚染物質を吸着して除去することができる。
【００３６】
また、本発明に係る汚染水処理体の一形態によれば、前記の吸着体が、ブロック状又はプレート状の厚さを有する固まりとして設けられていることを特徴とする。この汚染水処理体によっても、汚染水に浸漬することで、その汚染水中に存在している汚染物質を吸着して除去できることの他、適宜に配置することで、汚染物質の拡散を簡便に防止できる。これは、ナノセルロースは、ブロック状、又は板状、層状、シート状などを含むプレート状の固まりとして乾燥すると、高い構造強度を生じ、水を吸収し、膨潤するが、固まりの形態を維持できる機能を備えるもので、本形態例は、その性質を応用するものである。
【００３７】
また、本発明に係る汚染水処理体の一形態によれば、前記の吸着体が織り交ぜられているシート状部材１００によって構成されている透水性の粉体収納袋であることを特徴とする。この粉体収納袋１００では、それ自体に、吸水性を向上させ、汚染物質を吸着して除去することができる機能を適切に付与することができる。
【００３８】
また、本発明に係る汚染水処理体の一形態によれば、前記の吸着体が塗布されているシート状部材によって構成されている透水性の粉体収納袋１００であることを特徴とする。この粉体収納袋１００では、それ自体に、吸水性を向上させ、汚染物質を吸着して除去することができる機能を容易に付与することができる。
【００３９】
この汚染水処理体を用いた汚染水の処理方法の例としては、前記の吸着体１５０が封入された透水性のある粉体収納袋１００を、水槽２００に貯留された汚染水２１０に浸漬して所要の時間を経過させることで金属イオンを吸着体１５０に吸着させた後、その粉体収納袋１００を引き上げる工程を有する。
【００４０】
図４に示す例では、粉体収納袋１００が、吊り手１１０を備えるフレキシブルコンテナバック（以下、「フレコン」という。）であり、その吊り手１１０を用いて、その粉体収納袋１００を搬送及び昇降させて汚染水２１０に浸漬される汚染水処理体になっている。
【００４１】
また、フレコン１００は、吸着体１５０（粉体状吸着剤を含む微細粒子などの微細物質）などが流れ出ないように、通水性は高いが微細物質の流失を防ぐことができる均質な細かい目（メッシュ）の布材によって設けられていると共に、水を含んだ前記の吸着体を保持できる袋としての強度を持つように設けられている。
【００４２】
次に、図４〜７に基づいて汚染水の処理工程について説明する。
図４に示すように上面が開放されたフレコン１００に、吸着体１５０を、充填し、その上面を閉じて封止した状態とする（図２参照）。
図５に示すように汚染水２１０を水槽２００に注ぎ込んで貯留する。
【００４３】
そして、図６に示すように、フレコン１００を、上面が開放された水槽２００に、吊り手１１０を用いて吊り下げた状態でその水槽２００の上面からゆっくり下降させて入れて汚染水２１０に浸す。金属イオンが所要の濃度以下となるまで吸着がなされるように、フレコン１００を汚染水２１０に浸漬した状態で放置する。なお、水槽２００内の汚染水２１０に、振動や水流が発生するようにしてもよい。または、フレコン１００を小刻みに揺らすなどして汚染水２１０の中で動かし、吸着体１５０と汚染水２１０の接触を促進するようにしてもよい。
【００４４】
また、水槽２００内で浄化された水の金属イオンの濃度を、適宜に時間をおいてチェックして基準値以下になっているか否かを判定すれば、吸着体１５０が封入されているフレコン１００を汚染水２１０に浸漬する時間を適正化できる。
【００４５】
そして、図７に示すように引き上げて、吸着体１５０が封入されているフレコン１００を脱水する。なお、吸着体１５０は、透水性が高いため、脱水に係る水切れが速い。この際に、流れ出る水や、水槽２００内で浄化された水の、金属イオンの濃度をチェックすることで、基準値以下になっているか否かを判定することができる。
【００４６】
なお、吸着体１５０を構成する粘土鉱物の一例であるアロフェンは、酸性の条件下ではプラスに帯電し、アルカリ性の条件下ではマイナスに帯電する性質があり、金属イオンを引き寄せて吸着できる。例えば、セシウムイオンはプラスイオンであるため、アロフェンは、アルカリ性の状態でセシウムイオンを吸着除去する機能が高いことになる。
【００４７】
次に、金属イオンが溶け込んでいる流水の汚染水を浄化する汚染水処理体について説明する。汚染水の流水を堰き止めるように、吸着体１５０が封入された透水性のある粉体収納袋１００を配する。汚染水が吸着体１５０を透過する間に、その吸着体１５０に金属イオンが吸着される。例えば、側溝の縁に縁石を置くように粉体収納袋１００を配し、汚染水の流水を堰き止めて、金属イオンを吸着体１５０に吸着させることで汚染水を浄化できる。
【００４８】
また、粉体収納袋１００が、土のう状の袋であって、前述したフレコン１００と同様に、吸着体１５０の微細粒子が流れ出ないように微細なメッシュの布材によって設けられている袋になっていてもよい。すなわち、通水性は高いが微細粒子の流失を防ぐことができる均質な細かいメッシュの布材、又はこれに相当するシート材や膜材によって設けられ、水を含んだ吸着体１５０を保持できる袋としての強度を持つように設けられていればよく、一層構造に限らず、多層構造に設けられていても良い。
【００４９】
これによれば、流水状に発生する汚染水を適切に浄化できる。例えば、原子力発電所の事故で発生したセシウムなどの除染を行う際、除染・洗浄のために使用した水に起因する汚染水（放射性セシウムイオンが溶け込んだ水）が流出する。この汚染水による流水の浄化を、吸着体１５０が封入された粉体収納袋１００によれば、簡便且つ効率よく行うことができる。
【００５０】
次に、本発明に使用することができる吸着剤について説明する。
先ず、透水性粘土鉱物であるアロフェンは、鹿沼土を精製することで得ることができる。また、鹿沼土は、アロフェンを主成分とするもので、微細粒子とすることで透水性を調整することができ、本発明に係る吸着体１５０の粘土鉱物として利用することができる。
【００５１】
吸着体１５０に混合される粘土鉱物の少なくとも一部として、ゼオライトの微細粉体を用いてもよい。例えば、粘土鉱物として、アロフェンとゼオライトとを共に用いることができる。これによれば、アロフェンの透水性が高いという特長と、ゼオライトの吸着性能が高いという特長との両方を利用でき、その相乗効果を得ることができる。なお、ゼオライトは、アロフェンに比べて、例えばセシウムイオンについては、その飽和吸着量が１４０倍以上も高く（非特許文献１のデータより）、その吸着性能は極めて高いが、透水性は劣ると共に高価であるというデメリットがある。
【００５２】
アロフェンなどの透水性粘土鉱物の粉体やゼオライトの粉体が目開き１ｍｍ以下のふるいを通過した微細な粉体であるように調整することで、より吸着性能を向上できる。なお、粉体の粒子が大きいと、特に流水について金属イオンの吸着をする場合には、汚染水の透過する速度が速過ぎることになり、吸着性能が低下する。
なお、特にアロフェンは、透水性が高いため、さらに小さな微粒子を用いることで吸着性能を高めるメリットを享受することができる。例えば、非特許文献１で示されているように、目開きが１８０μｍのふるいを通過した微細な粉体とすることができる。
【００５３】
次に、汚染物質の保管方法について説明する。
図８に示すように、金属イオンを吸着した透水性粘土鉱物の粉体１５０が封入された粉体収納袋１００を、金属イオンを吸着するように、基層５００の上に敷設された粘土鉱物による吸着層３００の上に並べて置き、その粉体収納袋１００の上に粘土鉱物による覆土４００をすることで保管する。
【００５４】
また、粘土鉱物による覆土４００を、覆土４００を兼ねる吸着層とし、その覆土４００を兼ねる吸着層の上に粉体収納袋１００を並べて置き、その粉体収納袋１００の上にさらに粘土鉱物による覆土４００をすることで粉体収納袋１００を保管する。
【００５５】
このように、金属イオンに汚染された粉体収納袋１００を保管することで、粘土鉱物による吸着層３００や覆土４００は、水を透過できるため酸性雨の酸度の蓄積による酸性化を防ぎ、汚染物の流出を防止できる。そして、たとえ金属イオンが粉体収納袋１００から流出したとしても、粘土鉱物による吸着層３００や覆土４００よって吸着できるから、処理場の外部を汚染することがないという、効果がある。
【００５６】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００５７】
１０  廃棄物
２０  透水性粘土鉱物の吸着層
２０Ａ  透水性粘土鉱物の内底面部の吸着層
２０Ｂ  透水性粘土鉱物の法面部の吸着層
３０  覆土層
４０  低透水性の粘土層
４５  遮水シート
５０  基層
６０  溶融スラグ等が敷かれた層
７０  アスファルト
１００  粉体収納袋、フレコン
１１０  吊り手
１５０  吸着体
２００  水槽
２１０  汚染水
３００  吸着層
４００  覆土
５００  基層
【図１】
0006554242.tif 000002
【図２】
0006554242.tif 000003
【図３】
0006554242.tif 000004
【図４】
0006554242.tif 000005
【図５】
0006554242.tif 000006
【図６】
0006554242.tif 000007
【図７】
0006554242.tif 000008
【図８】
0006554242.tif 000009